(57)【特許請求の範囲】
【請求項１】
建屋の天井部に配置される空気調和装置の室内ユニットに吹出ダクトを介して接続されると共に、前記吹出ダクトを介して供給される空調空気を室内に吹き出すための吹出ユニットであって、
前記吹出ダクトと接続される吹出チャンバと、
前記吹出チャンバに対応して配置され、複数の吹出開口が形成された吹出パネルと、
前記吹出チャンバ内に設けられ、当該吹出チャンバ内の空調空気を、前記吹出パネルの吹出開口毎に分流させる分流部と、
前記吹出パネルの各吹出開口に設けられ、吹出開口毎に独立して風向きを変更することのできる風向板と、
を備え、
各吹出開口の前記風向板は、室内側に複数の横案内羽根と、天井側に横案内羽根と直交するように複数の縦案内羽根を備え、
前記横案内羽根及び前記縦案内羽根を駆動するモータを、前記分流部の下方であって前記吹出パネルの略中央の内側に設けたことを特徴とする吹出ユニット。
【請求項２】
請求項１記載の吹出ユニットにおいて、
前記風向板は、前記吹出開口を遮蔽することができること、
を特徴とする吹出ユニット。
【請求項３】
請求項１又は２に記載の吹出ユニットにおいて、
前記風向板は、遠隔操作装置により姿勢を変更することができること、
を特徴とする吹出ユニット。
【請求項４】
請求項１〜３のいずれか一項に記載の吹出ユニットにおいて、
前記天井部は、天井に吊り具を介して吊り下げられる保持バーと、この保持バーに保持される天井材とで構成されるシステム天井であって、
前記吹出パネルの外形は、前記天井材と略同形状を呈すること、
を特徴とする吹出ユニット。
【請求項５】
建屋の天井部に配置され、室内熱交換器及び送風機を備えた室内ユニットと、
前記室内ユニットに吹出ダクトを介して接続された吹出チャンバと、
前記吹出チャンバに対応して配置され、空調空気を室内に吹き出す複数の吹出開口が形成された吹出パネルと、
前記吹出チャンバ内に設けられ、当該吹出チャンバ内の空調空気を、前記吹出パネルの吹出開口毎に分流させる分流部と、
前記吹出パネルの各吹出開口に設けられ、吹出開口毎に独立して風向きを変更することのできる風向板と、
を備え、
各吹出開口の前記風向板は、室内側に複数の横案内羽根と、天井側に横案内羽根と直交するように複数の縦案内羽根を備え、
前記横案内羽根及び前記縦案内羽根を駆動するモータを、前記分流部の下方であって前記吹出パネルの略中央の内側に設けたことを特徴とする空気調和システム。
【発明の詳細な説明】
【技術分野】
【０００１】
本発明は、建屋の天井部に配置される空気調和装置の室内ユニットに吹出ダクトを介して接続される吹出ユニットおよび、当該吹出ユニットを備える空気調和システムに関する。
【背景技術】
【０００２】
近年、オフィスビル等では、グリッドシステム天井の導入が進んでいる。グリッドシステム天井とは、吊り具を介して天井に吊り下げられた保持バー（Ｔバー）を格子状に枠組みして、この保持バーにより格子状に区画化されたグリッド毎に天井パネルや、空気調和された空気（空調空気）の吹出口、照明等を配置したものである。グリッドシステム天井では、オフィス内のパーソナルスペースの配置位置等に応じて、空調空気の吹出口や照明等を比較的自由に配置することができるため、間仕切りの自由度が高い。
この様なグリッドシステム天井が導入されたオフィスビルには、吹出ダクトにより空調空気の吹出口を比較的自由に位置決めすることのできるビルトイン型の空気調和装置が設置される場合が多い。ビルトイン型の空気調和装置の室内ユニットには、吹出ダクトに接続される吹出チャンバと、吹出チャンバに対応して配置される吹出パネル等を備える吹出ユニットが接続される。吹出パネルに形成される吹出口には、風向きを所定の方向に案内するための風向板（案内羽根）が設けられる。この様な吹出ユニットの中には、吹出口に拡開状に形成された複数の風向板を設け、吹出口に当該吹出口の一部を遮蔽する遮蔽板が備えられたものがある（例えば、特許文献１参照）。遮蔽板により吹出口の一部を選択的に遮蔽することで、吹出ユニットの配置位置に応じて、吹出ユニットから室内に吹き出される風向きを設定するようにしている。
【特許文献１】特開２００５−３３１１８４号公報
【発明の開示】
【発明が解決しようとする課題】
【０００３】
ところで、オフィス内には、通常、一の吹出パネルの下方に複数のパーソナルスペースが設けられる。しかしながら、人によって快適であると感じる温度や風量は異なるため、万人にとって快適な空調設定を行うのは困難である。このため、近年では、オフィス内でのパーソナルスペース毎の空調の快適性を向上させるために、パーソナルスペース毎に各人の好みに応じて風向きを調整することが望まれている。
しかしながら、上記従来のビルトイン型空気調和装置の吹出ユニット（特許文献１）では、風向板により空気を四方向に均等に吹き出すことはできるものの、風向板の傾斜角度は固定されているため、方向毎に風向きを変更することはできず、パーソナルスペース毎に風向きを調整することはできなかった。また、上記従来の吹出ユニットでは、遮蔽板により吹出口の一部を選択的に遮蔽して所定の方向から空調空気が吹き出されないようにすることができる。しかしながら、遮蔽板により吹出口の一部を選択的に遮蔽することにより、他の部分からの風量が増加したり、吹出ダクト内で生じる気流の乱れにより送風効率が低下したりするなど、他のパーソナルスペースの快適性に影響を及ぼす恐れがあった。また、吹出ユニット設置時に遮蔽板により吹出口を遮蔽する位置が固定されるため、吹出ユニット設置後に遮蔽板により吹出口を遮蔽する位置を変更するのは困難であった。
本発明の課題は、一の吹出ユニットから空調空気を複数の方向に吹き出す際に、方向毎に風向きを調整することのできる吹出ユニットおよび空気調和システムを提供することにある。
【課題を解決するための手段】
【０００４】
上記課題を解決するため、本発明の吹出ユニットは、建屋の天井部に配置される空気調和装置の室内ユニットに吹出ダクトを介して接続されると共に、前記吹出ダクトを介して供給される空調空気を室内に吹き出すための吹出ユニットであって、前記吹出ダクトと接続される吹出チャンバと、前記吹出チャンバに対応して配置され、複数の吹出開口が形成された吹出パネルと、前記吹出チャンバ内に設けられ、当該吹出チャンバ内の空調空気を、前記吹出パネルの吹出開口毎に分流させる分流部と、前記吹出パネルの各吹出開口に設けられ、各吹出開口毎に独立して風向きを変更することのできる風向板と、を備え、各吹出開口の前記風向板は、室内側に複数の横案内羽根と、天井側に横案内羽根と直交するように複数の縦案内羽根を備え、前記横案内羽根及び前記縦案内羽根を駆動するモータを、前記分流部の下方であって前記吹出パネルの略中央の内側に設けたことを特徴とする。
上記構成によれば、吹出チャンバに対応して配置される吹出パネルには複数の吹出開口が形成されているので、本発明の吹出ユニットは、一の吹出ユニットから複数の吹出開口を介して室内に空調空気を供給することができる。また、各吹出開口には、吹出開口毎に独立して風向きを変更させることのできる風向板が設けられているので、本発明の吹出ユニットは、各吹出開口から異なる方向に空調空気を吹き出すことができ、また、方向毎に風向きを調整することができ、パーソナルスペース毎に個別に風向きを調整することができる。さらに、分流部により、吹出チャンバ内の空調空気は各吹出開口毎に分流されるので、本発明の吹出ユニットは、吹出チャンバ内の気流の乱れを防止して、一の吹出開口において風向板の向きが変更された場合に、他の吹出開口から吹き出される空調空気の送風効率が低下するのを防止することができる。また、各吹出開口には、各吹出開口毎に独立して風向きを変更することのできる風向板が設けられているので、本発明の吹出ユニットは、気流の乱れが生じた場合には風向板の向きを調整して円滑に空調空気が送風されるようにすることができる。
【０００５】
上記構成において、前記風向板は、前記吹出開口を遮蔽することができること、が好ましい。
上記構成によれば、風向板は、吹出開口を遮蔽することもできるので、本発明の吹出ユニットは、空調空気が必要とされない場所がある場合には、その場所へ向かう一の吹出口を遮蔽することによりその場所へ空調空気を供給しないようにすることもでき、パーソナルスペース毎に個別に吹出開口を遮蔽することができる。さらに、分流部により、吹出チャンバ内の空調空気は各吹出開口毎に分流されるので、本発明の吹出ユニットは、吹出チャンバ内の気流の乱れを防止して、一の吹出開口において吹出口が遮蔽された場合でも、他の吹出開口から吹き出される空調空気の送風効率が低下するのを防止することができる。
【０００６】
上記構成において、前記風向板は、遠隔操作装置により風向きを変更することができること、が好ましい。
上記構成によれば、風向板は遠隔操作装置により風向きを変更することができるので、本発明の吹出ユニットは、遠隔操作装置を介し入力されたユーザの指示により、吹出開口毎に風向きを調整し、あるいは吹出開口を遮蔽することができ、パーソナルスペース毎に個別に風向きや吹出開口の遮蔽を遠隔操作装置により選択することができる。
【０００７】
上記構成において、前記天井部は、天井に吊り具を介して吊り下げられる保持バーと、この保持バーに保持される天井材とで構成されるシステム天井であって、前記吹出パネルの外形は、前記天井材と略同形状を呈すること、が好ましい。
上記構成によれば、本発明の吹出ユニットは、天井に吊り具を介して吊り下げられる保持バーと、この保持バーに保持される天井材とで構成されるシステム天井に配置されうるよう構成され、天井材と略同形状の吹出パネルを備えるので、ユーザは、任意の位置の天井材を取り外し、その場所へ本発明の吹出ユニットを配置することができる。
【０００８】
本発明の空気調和システムは、建屋の天井部に配置され、室内熱交換器及び送風機を備えた室内ユニットと、前記室内ユニットに吹出ダクトを介して接続された吹出チャンバと、前記吹出チャンバに対応して配置され、空調空気を室内に吹き出す複数の吹出開口が形成された吹出パネルと、前記吹出チャンバ内に設けられ、当該吹出チャンバ内の空調空気を、前記吹出パネルの吹出開口毎に分流させる分流部と、前記吹出パネルの各吹出開口に設けられ、各吹出開口毎に独立して風向きを変更することのできる風向板と、を備え、各吹出開口の前記風向板は、室内側に複数の横案内羽根と、天井側に横案内羽根と直交するように複数の縦案内羽根を備え、前記横案内羽根及び前記縦案内羽根を駆動するモータを、前記分流部の下方であって前記吹出パネルの略中央の内側に設けたことを特徴とする。
【発明の効果】
【０００９】
本発明によれば、一の吹出ユニットから空調空気を複数の方向に吹き出す際に、吹出チャンバ内の空調空気を各吹出開口毎に分流することにより吹出チャンバ内の気流の乱れを防止し、方向毎に風向きを調整することができる。
【発明を実施するための最良の形態】
【００１０】
次に図面を参照して本発明の好適な実施の形態について説明する。
図１は、本実施の形態における空気調和システム１００がグリッドシステム天井１０１に設置された状態を示す側面図である。また、図２は、本実施の形態における空気調和システム１００が設置されたグリッドシステム天井１０１を、天井側から見た平面図である。
空気調和システム１００は、図２に示すように、室内ユニット１と、室内ユニット１から複数本（本実施の形態では、四本）延設された吹出ダクト２と、それぞれの吹出ダクト２に接続される吹出ユニット３とを備えている。本実施の形態では、７２００ｍｍ×７２００ｍｍの空間に室内ユニット１が配置され、３６００ｍｍ×３６００ｍｍの空間に吹出ユニット３が一台ずつ配置され、室内ユニット一台に対し計四台が配置されている。また、本実施の形態における四つの吹出ユニット３は、吹出ユニット３ａおよび３ｂと、吹出ユニット３ｃおよび３ｄとの二種類で構成されている。
【００１１】
グリッドシステム天井１０１は、図１に示すように、複数本の吊り具（不図示）を介して天井に吊下げられた複数の保持バー１０１ａを備えている。これら保持バー１０１ａは、格子状に組まれており、保持バー１０１ａで囲まれた空間に、開口部１０１ｂが形成されている。本実施の形態では、開口部１０１ｂのそれぞれは、６００ｍｍ×６００ｍｍの大きさの開口を有しており、開口部１０１ｂには、この開口の大きさに対応した、天井面を形成するための天井材１０１ｃや、室内を照明するための照明ユニット１０１ｄ等が取り付けられると共に、室内の空気調和を行うための空気調和システム１００が取り付けられている。
【００１２】
室内ユニット１は、略箱形状に形成された筐体１０を備えている。筐体１０は、天井空間Ａ内に図示しない吊りボルトを介して吊り下げられ、筐体１０の下部には空気の吸込口１１が形成されている。この吸込口１１には空気中に含まれる粉塵等を除去するためのフィルタ（図示略）が取り付けられるフィルタチャンバ１２が取り付けられている。また、筐体１０は、筐体１０の側板に一体に設置された吹出口１９を有し、吹出ダクト２の一端が吹出口１９に嵌装され、吹出ダクト２の他端に吹出ユニット３が取り付けられている。さらに、筐体１０には、室内熱交換器１３や送風機１４が内蔵され、上記のフィルタチャンバ１２および吸込口１１を介して吸い込まれた室内の空気は室内熱交換器１３により熱交換され、熱交換後の空調空気が吹出ダクト２および吹出ユニット３を介して室内に供給される。但し、この室内熱交換器１３は、図示しない冷媒配管により圧縮機、室外熱交換器、四方弁等に接続されて、冷媒回路を構成している。
【００１３】
また、筐体１０には、運転制御用の電装箱１６が配置されている。電装箱１６は、筐体１０の側面のうち、吹出ダクト２が配設されていない筐体１０の側板に取り付けられている。
電装箱１６は、ともに図示しない制御基板および端子板を備えており、筐体１０内に設置された送風機１４、吹出ユニット３等からの内部配線（図示略）が制御基板または端子板に接続され、電源配線（図示略）、リモコン配線１７、ＬＡＮケーブル１８等の外部配線が端子板に接続されている。
制御基板には、図示しないＣＰＵと、ＣＰＵにより実行される制御プログラムやこの制御プログラムに係る制御用データ等を格納したＲＯＭと、ＣＰＵにより処理されるプログラムや各種データを一時的に記憶するＲＡＭと、を備えている。ＣＰＵは、ＲＯＭおよびＲＡＭと協動して、ＲＯＭ内の制御プログラムに従って、各種制御を行う。本実施の形態では、リモコン装置２０がリモコン配線１７を介し電装箱１６に接続されているので、ＣＰＵは、リモコン装置２０に入力されたユーザの指示に従って、冷暖房運転等の各種制御を実行する。
また、電装箱１６は、ＬＡＮケーブル１８を介しパソコン２１に接続されているため、パソコン２１からの制御信号により空気調和システム１００の各種制御を行うことができる。
【００１４】
グリッドシステム天井１０１には、二枚の天井材１０１ｃが取り外され、上記フィルタチャンバ１２が配置される吸込開口１０２、および吹出ユニット３が配置される吹出開口１０３が形成されている。吹出開口１０３はグリッドシステム天井１０１の任意の位置に形成することができ、吸込開口１０２は筐体１０に形成された吸込口１１の下方に形成される。
これらの吸込開口１０２および吹出開口１０３には、開口部１０１ｂに対応した６００ｍｍ×６００ｍｍの外形状を有する吸込パネル１５および吹出パネル４０が保持バー１０１ａに配置されている。吸込パネル１５および吹出パネル４０は、例えば、樹脂製で構成されており、吸込パネル１５および吹出パネル４０には、室内から空気を吸い込む吸込開口（図示略）と、空調空気を室内に吹き出す複数（本実施の形態では、四つ）の吹出開口４２が設けられている。
この様に、吸込パネル１５および吹出パネル４０を板金製のものではなく樹脂製のもので構成することにより、原材料費を低減することができるとともに、これらの部材を大量生産することが容易になり、コストを低減することができる。また、板金製の吸込パネル１５および吹出パネル４０に対して、樹脂製の吸込パネル１５および吹出パネル４０は重量が低減するため、これらの部材をグリッドシステム天井１０１に取り付ける作業が容易になる。
【００１５】
吹出ユニット３は、吹出チャンバ３０を備え、吹出チャンバ３０は、吹出パネル４０が配置される吹出開口１０３の上方に、図示を省略した吊り具によって天井空間Ａに吊り下げられている。
吹出チャンバ３０は、接続口３１を有し、この接続口３１に吹出ダクト２が接続されている。吹出チャンバ３０の下部は、吹出パネル４０と平面視で略同形に形成され、吹出チャンバ３０と吹出パネル４０が図示しない固定具によって固定されている。
【００１６】
図３は、吹出パネル４０を室内側から見た平面図である。
吹出パネル４０は、四つの境界部４０ａ〜４０ｄで隔てられた吹出開口４２を備え、各吹出開口４２に吹出グリル４１が収容されている。図３では、説明の便宜上、四つの吹出開口４２は、それぞれ吹出開口４２ａ、４２ｂ、４２ｃ、４２ｄとする。吹出開口４２および吹出グリル４１は、平面視において正方形に形成され、６００ｍｍ×６００ｍｍの正方形の外形を有する吹出パネル４０に格子状に配置されている。このため、格子状のグリッドシステム天井１０１と同様に、整然とした短径基本デザインとなり、外観上すっきりとした天井レイアウトが可能になる。また、本実施の形態では、オフィスのレイアウトを鑑み、一台の吹出ユニット３の下方に四つのパーソナルスペースが設けられることを想定しており、吹出パネル４０に格子状に四つの吹出開口４２を配置することで、各パーソナルスペースに吹出開口４２をそれぞれ割り当てることができる。
【００１７】
各吹出グリル４１は、薄板状に形成された複数の風向板４３を有している。また、風向板４３は、室内側に複数（本実施の形態では、九枚）の横案内羽根４３ａと、天井側には、横案内羽根４３ａと直交するように複数（本実施の形態では、九枚）の縦案内羽根４３ｂを備えている。横案内羽根４３ａは、縦方向（図３中矢印Ｙ）に沿って長尺に形成されており、横方向（図３中矢印Ｘ）に所定の間隔Ｗ１で配置されている。縦案内羽根４３ｂは、横方向に沿って長尺に形成されており、横案内羽根４３ａと直交する縦方向に所定の間隔Ｗ１で配列されている。なお、図３では、吹出開口４２ａは開口し、吹出開口４２ｂ、４２ｃ、４２ｄは、風向板４３により遮蔽されている。
【００１８】
図４は、吹出ユニット３ａの断面図である。なお、図４は、吹出パネル４０については図３におけるＩＶ−ＩＶ断面図を示し、その他の部材については吹出ユニット３ａの略中心における断面図を示す。また、図４では、吹出開口４２ａは開口し、吹出開口４２ｄは、風向板４３により遮蔽されている。
吹出ユニット３ａの吹出チャンバ３０内には、発泡スチロールで構成される分流部３２が設けられている。この分流部３２は、吹出チャンバ３０を平面視で十字に仕切る仕切部３２ａ〜３２ｄを備え、各仕切部３２ａ〜３２ｄは、上流側から流れてくる空調空気を吹出開口４２毎に四つに略均等に分流する。各仕切部３２ａ〜３２ｄは、接続口３１側が薄く、吹出パネル４０に向けて徐々にその厚さを増すように断面略三角形状に構成され、上方が凸形状をなすように形成されている。また、各仕切部３２ａ〜３２ｄは、上方が吹出チャンバ３０の形状に沿って徐々に低くなり、各仕切部３２ａ〜３２ｄの側面では吹出チャンバ３０の側面と同じ高さになるよう構成され、各仕切部３２ａ〜３２ｄの側面が吹出チャンバ３０の側面にそれぞれ固定されている。これにより、吹出ユニット３は、空調空気を滑らかに分流することができるので、分流部３２による空調空気の気流の乱れを防止しながら、各吹出開口４２毎に空調空気を分流することができ、各吹出開口４２から略均等に空調空気を吹き出すことができる。
【００１９】
各吹出開口４２の横案内羽根４３ａは、横案内羽根４３ａの長尺方向の両端に図示しない回動軸がそれぞれ設けられており、この回動軸を中心に回動可能になるように吹出グリル４１に支持されている。隣り合う回動軸同士は、リンク機構としての連結軸（図示略）を介して連結されている。また、連結軸の一つには、横案内羽根モータ４４ａが連結され、横案内羽根モータ４４ａは吹出パネル４０の境界部４０ａまたは４０ｃの内側に埋設されている。これにより、横案内羽根モータ４４ａを駆動すると、連結軸に回転が伝達され、さらに、連結軸から回動軸に回転が伝達されることで、九枚の横案内羽根４３ａの全てが同期して回動するように構成されている。
この構成により、横案内羽根４３ａは、横方向（図４中矢印Ｘ）の角度位置（姿勢）を任意の角度に調整できるので、吹出開口４２を開閉可能であり、また、開時には横方向の吹出方向を調整することができる。また、横案内羽根モータ４４ａは、上述した電装箱１６と図示しない配線によって接続されているので、例えば、吹出開口４２ａの横案内羽根４３ａは、電装箱１６からの制御信号に基づいて、縦案内羽根４３ｂや他の吹出開口４２ｂ、４２ｃ、４２ｄの横案内羽根４３ａの動作とは独立して回動することができ、吹出開口４２ａの横方向の風向きを個別に調整することができる。
【００２０】
各吹出開口４２の縦案内羽根４３ｂは、縦案内羽根４３ｂの長尺方向（図４中矢印Ｘ）の両端に図示しない回動軸がそれぞれ設けられており、この回動軸を中心に回動可能になるように吹出グリル４１に支持されている。隣り合う回動軸同士は、リンク機構としての連結軸（図示略）を介して連結されている。また、連結軸の一つには、縦案内羽根モータ４４ｂが連結され、縦案内羽根モータ４４ｂは吹出パネル４０の境界部４０ａまたは４０ｃの内側に埋設されている。これにより、縦案内羽根モータ４４ｂを駆動すると、連結軸に回転が伝達され、さらに、連結軸から回動軸に回転が伝達されることで、九枚の縦案内羽根４３ｂの全てが同期して回動するように構成されている。
この構成により、縦案内羽根４３ｂは、横方向に垂直な縦方向の角度位置（姿勢）を任意の角度に調整できるので、吹出開口４２を開閉可能であり、また、開時には縦方向の吹出方向を調整することができる。また、縦案内羽根モータ４４ｂは、上述した電装箱１６と図示しない配線によって接続されているので、例えば、吹出開口４２ａの縦案内羽根４３ｂは、電装箱１６からの制御信号に基づいて、横案内羽根４３ａや他の吹出開口４２ｂ、４２ｃ、４２ｄの縦案内羽根４３ｂの動作とは独立して回動することができ、吹出開口４２ａの縦方向の風向きを個別に調整することができる。
【００２１】
例えば、吹出開口４２ａの横案内羽根４３ａは、横方向に所定の角度θを有しているので、図４中矢印のように吹出チャンバ３０で分流された空調空気は横方向に角度θで室内に吹き出される。また、吹出開口４２ａの縦案内羽根４３ｂは、縦方向に所定の角度を有しているので、吹出チャンバ３０で分流された空調空気は吹出開口４２ａから縦方向に所定の角度で室内に吹き出される。
また、吹出開口４２ｄの横案内羽根４３ａおよび縦案内羽根４３ｂは、共に角度がゼロであり、吹出開口４２を遮蔽しているので、空調空気は室内に供給されない。
上述したように、分流部３２により吹出チャンバ３０内の空調空気は各吹出開口４２毎に分流されるので、吹出ユニット３は、一の吹出開口４２において風向板４３の姿勢が変更された場合や、一の吹出開口４２において吹出開口４２が遮蔽された場合でも、吹出チャンバ３０内の気流の乱れを防止して、他の吹出開口４２から吹き出される空調空気の送風効率が低下するのを防止することができる。
以上の構成により、一の吹出ユニット３から異なる四方向へ空調空気を吹き出すことができると共に、他の吹出開口４２から吹き出される空調空気の送風効率を維持した状態で、各吹出開口４２毎に空調空気の風向きを横方向および縦方向に調整することができ、また吹出開口４２を遮蔽することもできる。
【００２２】
本実施の形態の空気調和システム１００には、一台の吹出ユニット３につき、四台の図示しないリモコン（遠隔操作装置）を設けることができ、各吹出開口４２に対し、それぞれ一台ずつリモコンを設けることができる。リモコンは、赤外線送信手段を有し、赤外線信号を送信することで、割り当てられた吹出開口４２の風向板４３が回動され、風向きが調整される。
図３に示すように、吹出パネル４０の略中心には、リモコンから送信される赤外線信号を受信する赤外線受信部４５が配置され、さらに、四つのランプ４６が各吹出開口４２に隣接してそれぞれ配置されている。また、これらの赤外線受信部４５およびランプ４６は、上述した電装箱１６と図示しない配線によって接続されている。これにより、例えば、ユーザによりリモコンを介し吹出開口４２ａの横案内羽根４３ａを回動させる指示がされた場合、リモコンから送信された赤外線信号は赤外線受信部４５で受信され、上述したＣＰＵは受信した赤外線信号に基づき制御信号を吹出開口４２ａの横案内羽根モータ４４ａへ送信し、当該横案内羽根モータ４４ａが駆動して吹出開口４２ａの横案内羽根４３ａが回動する。吹出開口４２ａの横案内羽根４３ａが回動している間は、吹出開口４２ａに隣接する一のランプ４６が点灯するように構成されているため、ユーザは、風向きを調整する際、ユーザの希望する吹出開口４２ａの横案内羽根４３ａが回動しているか否かをランプ４６の点灯により確認することができる。
【００２３】
また、本実施の形態の空気調和システム１００では、パソコン２１をサーバとしたコンピュータネットワーク（図示せず）を構成することができるので、ユーザは、コンピュータネットワークに接続された図示しない各ユーザのパソコン（遠隔操作装置）からパソコン２１にアクセスすることにより、ユーザが希望する吹出開口４２の風向きを調整することができる。さらに、吹出開口４２の風向板４３の回動中は、当該吹出開口４２に隣接するランプ４６が点灯するので、ユーザは、ユーザの希望する吹出開口４２の風向きを調整しているか否かを確認することができる。
【００２４】
本実施の形態の空気調和システム１００では、図２に示すように、吹出ユニット３ｃ、３ｄのような吹出ユニット３も配置されている。例えば、吹出ユニット３ｃを配置する場合、吹出パネル４０は、吹出ユニット３ｃの吹出パネル４０のように、吹出パネル４０の外形を形成する辺に平行に四つの吹出開口４２が設けられる。この場合、四つの吹出開口４２は、吹出パネル４０の外形を形成する辺に沿って長尺に形成される。
図５は、吹出ユニット３ｃの断面図である。
吹出ユニット３ｃの吹出チャンバ３０内には、発泡スチロールで構成される分流部３２が設けられている。この分流部３２は、吹出チャンバ３０を平面視でＸ字に仕切る仕切部３２ａ〜３２ｄを備え、各仕切部３２ａ〜３２ｄは、上流側から流れてくる空調空気を吹出開口４２毎に四つに略均等に分流する。各仕切部３２ａ〜３２ｄは、接続口３１側が薄く、吹出パネル４０に向けて徐々にその厚さを増すように断面略三角形状に構成され、上方が凸形状をなすように形成されている。また、各仕切部３２ａ〜３２ｄは、上方が吹出チャンバ３０の形状に沿って徐々に低くなり、各仕切部３２ａ〜３２ｄの側面では吹出チャンバ３０の側面と同じ高さになるよう構成され、各仕切部３２ａ〜３２ｄの側面が吹出チャンバ３０の側面にそれぞれ固定されている。これにより、吹出ユニット３は、空調空気を滑らかに分流することができるので、分流部３２による空調空気の気流の乱れを防止しながら、各吹出開口４２毎に空調空気を分流することができ、各吹出開口４２から略均等に空調空気を吹き出すことができる。
【００２５】
吹出ユニット３ｃの各吹出開口４２には、吹出開口４２と略同一の外形状を有する吹出グリル４１が収容され、吹出グリル４１は薄板状に形成された複数の風向板４３を有している。また、風向板４３は、室内側に複数（本実施の形態では、三枚）の横案内羽根４３ａと、天井側には、横案内羽根４３ａと直交するように複数の縦案内羽根４３ｂを備えている。
各吹出開口４２の横案内羽根４３ａは、吹出パネル４０の略中央の内側に埋設された横案内羽根モータ４４ａに駆動され、縦案内羽根４３ｂの動作とは独立して横案内羽根４３ａの全てが同期して回動するよう構成されている。また、各吹出開口４２の縦案内羽根４３ｂは、吹出パネル４０の略中央の内側に埋設された縦案内羽根モータ４４ｂに駆動され、横案内羽根４３ａの動作とは独立して縦案内羽根４３ｂの全てが同期して回動するよう構成されている。さらに、横案内羽根モータ４４ａおよび縦案内羽根モータ４４ｂは、上述した電装箱１６と図示しない配線によって接続されているので、一の吹出開口４２の風向板４３は、電装箱１６からの制御信号に基づいて、他の吹出開口４２における風向板４３の動作とは独立して回動することができるように構成されている。
ここで、吹出ユニット３ｃ、３ｄは、分流部３２の形状、吹出開口４２の形状、吹出グリル４１の形状および風向板４３の形状以外は、上述した吹出ユニット３ａ、３ｂと略同様の構成を有するため、ここでは、吹出ユニット３ａ、３ｂと同様の構成については説明を省略する。
【００２６】
以上説明した本実施の形態によれば、吹出ユニット３は四つの吹出開口４２を有し、吹出チャンバ３０に空調空気を分流する分流部３２が設けられているので、吹出チャンバ３０内の空調空気は各吹出開口４２毎に分流され、各吹出開口４２から吹き出される。また、各吹出開口４２には、吹出開口４２毎に風向きを変更することができる複数の風向板４３が設けられているので、パーソナルスペース毎に風向を調整することができる。さらに、吹出チャンバ３０内に分流部３２が設けられているため、一の吹出開口４２において風向板４３の向きが変更された場合にも、吹出チャンバ３０内の気流の乱れを防止して、他の吹出開口４２から吹き出される空調空気の送風効率が低下するのを防止することができる。
【００２７】
また、上記実施の形態では、吹出開口４２毎に風向きを調整するだけではなく、個別に吹出開口４２を遮蔽することもできる。さらに、吹出チャンバ３０内に分流部３２が設けられているため、一の吹出開口４２が遮蔽された場合にも、吹出チャンバ３０内の気流の乱れを防止して、他の吹出開口４２から吹き出される空調空気の送風効率が低下するのを防止することができる。
【００２８】
また、上記実施の形態では、一台の吹出ユニット３の四つの吹出開口４２に対し、それぞれ一台ずつリモコンを設けることができるので、各パーソナルスペースに各一台のリモコンを割り当て、ユーザは各リモコンを介して希望する吹出開口４２の風向きを調整することができる。さらに、空気調和システム１００に接続されたパソコン２１をサーバとしたコンピュータネットワークを構成することができるので、ユーザは各ユーザのパソコンを介してパソコン２１にアクセスすることにより、希望する吹出開口４２の風向きを調整することができる。
【００２９】
また、上記実施の形態では、吹出ユニット３は、グリッドシステム天井１０１の天井材１０１ｃを取り外して形成される吹出開口１０３に、格子状に組まれた保持バー１０１ａによって配置されうるよう構成されている。このため、任意の位置に吹出ユニット３を配置することができ、例えば、室内のレイアウト変更等によって、吹出ユニット３の移動を迫られた場合でも、吹出ユニット３を移設することも容易である。
【００３０】
但し、以上説明した実施の形態は本発明の一態様であり、本発明の趣旨を逸脱しない範囲において適宜変更可能であるのは勿論である。
上記実施の形態においては、吹出パネル４０に四つの吹出開口４２を設け、吹出チャンバ３０内を四つに仕切る構成としたが、吹出パネル４０に二つの吹出開口４２を設ける構成としてもよい。この場合、二つの吹出開口４２は、吹出パネル４０の外形を形成する辺に沿って長尺に形成され、吹出チャンバ３０は、吹出開口４２の長尺方向と平行に二つに略均等に仕切る分流部３２を備える構成とすればよく、また、風向きの調整指示を行うリモコンは、各吹出開口４２に一台ずつ設けられる構成とすればよい。
【００３１】
本実施の形態では、室内ユニット１が設けられる下方に吸込開口１０２を設ける構成としたが、吸込開口１０２に吸込チャンバを配置させ、吸込チャンバと室内ユニット１とを吸込ダクトを介して接続し、吸込チャンバおよび吸込ダクトを介して室内ユニット１に空気を導入する構成としてもよい。
【００３２】
また、本実施の形態では、吹出パネル４０をグリッドシステム天井１０１の保持バー１０１ａに配置し、吹出チャンバ３０を吹出パネル４０が配置される吹出開口１０３の上方に配置する構成としたが、吹出パネル４０及び吹出チャンバ３０が一体型となる吹出ユニット３が、吹出開口１０３の保持バー１０１ａに配置される構成としてもよい。
【００３３】
また、本実施の形態の空気調和システム１００は、６００ｍｍ×６００ｍｍの開口部１０１ｂを有するグリッドシステム天井１０１に設置される例としたが、これに限定されず、例えば、６４０ｍｍ×６４０ｍｍの開口部１０１ｂを有するグリッドシステム天井１０１に設置されても良く、この場合、吸込パネル１５および吹出パネル４０は、６４０ｍｍ×６４０ｍｍの外形状を有する構成とすればよい。
【００３４】
さらに、本実施の形態の空気調和システム１００は、グリッドシステム天井１０１に設置されるものに限定されず、すべてのビルトイン型空気調和装置に適用してもよい。
【図面の簡単な説明】
【００３５】
【図１】本発明に係る空気調和システムの一例を示す側面図である。
【図２】本発明に係る空気調和システムを天井側から示す平面図である。
【図３】本発明に係る吹出パネルを室内側から示す平面図である。
【図４】本発明に係る吹出ユニット３ａの断面図である。
【図５】本発明に係る吹出ユニット３ｃの断面図である。
【符号の説明】
【００３６】
１  室内ユニット
２  吹出ダクト
３  吹出ユニット
３０  吹出チャンバ
３２  分流部
４０  吹出パネル
４２  吹出開口
４３  風向板
１００  空気調和システム
１０１  グリッドシステム天井
１０１ａ  保持バー
１０１ｃ  天井材
【図１】
0005081606.tif 000002
【図２】
0005081606.tif 000003
【図３】
0005081606.tif 000004
【図４】
0005081606.tif 000005
【図５】
0005081606.tif 000006